(57)【要約】      （修正有）【課題】カプセル本体内を迅速に冷房して快適に高気圧空気浴することができる高気圧空気カプセル装置を提供する。【解決手段】気密されたカプセル本体２内に人が入った状態で高気圧空気を供給管５を介して供給して充満可能な高気圧空気カプセル装置において、供給管５の途中部分に設けられた冷却タンク１１を有し、この冷却タンク１１内で高気圧空気と熱交換して当該高気圧空気を所定温度に冷却する冷却装置１０を設ける。また、冷却タンク１１に排出装置７を設け、当該タンク１１内から結露水を排出する。また、冷却タンク１１内の高気圧空気の温度を計測するセンサーＳ１を設け、当該センサーＳ１が高気圧空気の温度が４℃以下になったことを検知した場合にカプセル本体２への高気圧空気の供給を停止する制御装置を設ける。【選択図】図１
0003164178.tif 000002
【実用新案登録請求の範囲】
【請求項１】
気密されたカプセル本体内に人が入った状態で高気圧空気を供給管を介して供給して充満可能な高気圧空気カプセル装置において、
前記供給管の途中部分に設けられた冷却タンクを有し、この冷却タンク内で高気圧空気と熱交換して当該高気圧空気を所定温度に冷却する冷却装置を備えたことを特徴とする高気圧空気カプセル装置。
【請求項２】
前記冷却タンクに排気口を設け、当該排気口を所定時間間隔で開いて当該冷却タンク内の水等を排出する請求項１記載の高気圧空気カプセル装置。
【請求項３】
前記冷却タンク内の高気圧空気の温度を計測するセンサーを設け、当該センサーが高気圧空気の温度が４℃以下になったことを検知した場合に前記カプセル本体への高気圧空気の供給を停止する制御装置を設けたことを特徴とする請求項１又は２記載の高気圧空気カプセル装置。
【考案の詳細な説明】
【技術分野】
【０００１】
本考案は、気密されたカプセル本体内に人が入った状態で高気圧空気を充満可能な高気圧空気カプセル装置に関する。
【背景技術】
【０００２】
高気圧空気カプセル装置は、気密されたカプセル本体を有し、当該カプセル本体内に人間が入った状態で高気圧空気（または高気圧酸素）を供給することにより当該人の血中酸素を増やして身体の活性化を図ったり疲労の早期回復が期待されるなどの優れた効果があるとして、最近種々提案されている（たとえば、特許文献１参照）。
【先行技術文献】
【特許文献】
【０００３】
【特許文献１】特願平６−３３６４０３号公報
【考案の概要】
【考案が解決しようとする課題】
【０００４】
ところで、高気圧空気カプセル装置では、たとえば外気温３０℃以上の暑い季節には、気密状態にあるカプセル本体内は外気温よりも５℃以上温度が上昇して３５℃以上にもなるため、アイスノン（登録商標）等の冷却枕を用いて暑さに対処しているのが一般的である。あるいは、上記した特許文献１に係る高気圧空気カプセル装置（図３）のように、冷却水を環流用接続ホース部を介してカプセル本体２内のベッド部２ｂ内部に循環供給して冷房している。なお、図３において、７１は冷却水循環装置、６１は高気圧空気循環装置、Ｂは人である。
しかし、これらの方法では、カプセル本体２内を所望の温度にまで冷房するのに手間が掛かる欠点を有する。
本考案の目的は、カプセル本体内を迅速に冷房して快適に高気圧空気浴することができる高気圧空気カプセル装置を提供することにある。
【課題を解決するための手段】
【０００５】
請求項１の考案は、気密されたカプセル本体内に人が入った状態で高気圧空気を供給管を介して供給して充満可能な高気圧空気カプセル装置において、前記供給管の途中部分に設けられた冷却タンクを有し、この冷却タンク内で高気圧空気と熱交換して当該高気圧空気を所定温度に冷却する冷却装置を備えたことを特徴とするものである。
【０００６】
上記構成の考案の場合、カプセル本体内に充満される高気圧空気自体が予め冷却されるので、当該カプセル本体内が冷房され快適に高気圧空気浴することができる。
【０００７】
請求項２の考案は、加えて、前記冷却タンクに排気口を設け、当該排気口を所定時間間隔で開いて当該冷却タンク内の水等を排出するものである。
【０００８】
上記構成の考案の場合、請求項１記載の発明と同様な作用を奏する他、湿度の高い高気圧空気が冷却タンクに入ってきて当該タンク内面等で結露した場合でも、結露水は所定時間間隔（例えば、１５分間隔）で外に排出される。そのため、結露が冷却タンク内で発生したとしても、当該冷却タンク内での高気圧空気の熱交換を一段と円滑に行える。
【０００９】
請求項３の考案は、加えて、前記冷却タンク内の高気圧空気の温度を計測するセンサーを設け、当該センサーが高気圧空気の温度が４℃以下になったことを検知した場合に前記カプセル本体への高気圧空気の供給を停止する制御装置を設けたことを特徴とするものである。
【００１０】
上記構成の考案の場合、請求項１又は２記載の発明と同様な作用を奏する他、冷却タンクからカプセル本体に向けて４℃以下の高気圧空気は供給されることが防止できる。したがって、冷却タンクとカプセル本体との間の供給管部分で結露が発生するようなことはなく、カプセル本体への高気圧空気供給に支障をきたすような事態を一段と効果的に防止できる。
【考案の効果】
【００１１】
請求項１の考案によれば、カプセル本体内に充満される高気圧空気自体を予め冷却するので、当該カプセル本体内が迅速に冷房され快適に高気圧空気浴することができる。
【００１２】
請求項２の考案によれば、請求項１記載の発明と同様な効果を奏する他、結露が冷却タンク内で発生したとしても、当該冷却タンク内での高気圧空気の熱交換を一段と円滑に行える。
【００１３】
請求項３の考案によれば、請求項１又は２記載の発明と同様な効果を奏する他、冷却タンクとカプセル本体との間の供給管部分で結露が発生するようなことはなく、カプセル本体への高気圧空気供給に支障をきたすような事態を一段と効果的に防止できる。
【考案を実施するための最良の形態】
【００１４】
本考案に係る高気圧空気カプセル装置１は、図１に示すように、金属製のカプセル本体２を有している。カプセル本体２は、その両端面が閉鎖された筒状とされ、人が出入りするためのドア２aが設けられている。このドア２aを閉めると、カプセル本体２内は気密状態となる。カプセル本体２内には、横臥した人を支持するためのベッド部（図示省略）が設けられている。このカプセル本体２には、高気圧空気供給装置４と排出装置９とからなる高気圧空気供給・排出装置８が接続されており、当該カプセル本体１１内を所定圧力（例えば１．３気圧）の高気圧空気が循環するように構成されている。
【００１５】
ここで、高気圧空気供給装置４は、高気圧空気を生成するポンプ３と、このポンプ３で生成された高気圧空気をカプセル本体２へ送るための供給管５から構成されている。また、排出装置９は、排出管９aと排気の流量を制御する流量調整弁（図示省略）とから構成されている。
本高気圧空気カプセル装置１には、供給管５を介してカプセル本体２に高気圧空気を冷却する冷却装置１０が設けられている。
【００１６】
冷却装置１０は、供給管５の途中部分に設けられた冷却タンク１１を有し、この冷却タンク１１内で高気圧空気と熱交換して当該高気圧空気を所定温度に冷却する構成とされている。
【００１７】
具体的には、冷却装置１０は、冷却タンク１１の他に、当該冷却タンク１１内に配設されて当該タンク１１内に送られてきた高気圧空気と接触する冷却コイル１２と、この冷却コイル１２に液状になった冷媒(例えば、アンモニア）を供給する凝縮器１３と、この凝縮器１３に接続されているとともに前記冷却コイル１２にも接続されたコンプレッサ１４から構成されている。冷却コイル１２に送られてきた冷媒は、高気圧空気から熱を奪って気化する。そして、気化した冷媒はコンプレッサ１４に送られて凝縮するまで圧縮され、凝縮器１３でファン１３a等によって熱を取られ液体となり、冷却コイル１２に送られる。こうした冷却サイクルが繰り返され、カプセル本体２内へ送られる高気圧空気は冷却タンク１１内で所定温度に冷却される。
【００１８】
本高気圧空気カプセル装置１では、湿度の高い高気圧空気が冷却タンク１１に入ってきて当該タンク１１内面等で結露する場合もあることを考慮して、結露水をタンク１１から排出する排出装置７を設けている。
【００１９】
排出装置７は、一端が冷却タンク１１内に開口されるとともに他端が外気に開口した排出管７aと、この排出管７aに介装された電磁開平弁Ｖ１とから構成されている。電磁開平弁Ｖ１は、後述する制御装置５０によって制御されており、本高気圧空気カプセル装置１の運転中に所定時間間隔（例えば、１５分間隔）で所定時間（例えば１０秒間）だけそれまでの閉から開になって排出管７aから結露水を排出するものとされている。
【００２０】
また、冷却タンク１１内には、高気圧空気の温度を計測するセンサーＳ１が設けられている。このセンサーＳ１が高気圧空気の温度が４℃以下になったことを検知した場合には制御装置５０が電磁開平弁Ｖ２を駆動制御してカプセル本体２への高気圧空気の供給を停止する構成とされている。電磁開平弁Ｖ２は、ポンプ３と冷却タンク１１との間の供給管５部分に介装されている。
【００２１】
制御装置５０は、ＣＰＵ５１、ＲＯＭ５２、ＲＡＭ５３、キーボード５４、入出力装置（Ｉ/F）５５，５６等からなりＲＯＭ５２に格納した運転制御プログラムによって本高気圧空気カプセル装置１を駆動制御するものとされている。前述した電磁開平弁（Ｖ１，Ｖ２）、センサーＳ１は、入出力装置（Ｉ/F）５５，５６に接続されている。
【００２２】
上記構成の本高気圧空気カプセル装置１の場合、カプセル本体２内に供給される高気圧空気自体が冷却タンク１１内で予め冷却されるので、外気温が高い不快な日であっても当該カプセル本体１１内は冷房され快適に高気圧空気浴することができる。
【００２３】
なお、冷却タンク１１には排出装置７が設けられており、所定時間間隔で当該タンク１１内の結露水等を排出する構成とされているので、湿度の高い高気圧空気がタンク１１に入ってきて結露した場合でも、結露水は外に排出される。そのため、結露が冷却タンク１１内で発生したとしても、当該タンク１１内での高気圧空気の冷却を円滑に行える。
【００２４】
また、冷却タンク１１に設置したセンサーＳ１が高気圧空気の温度が４℃以下になったことを検知した場合にはカプセル本体２への高気圧空気の供給を停止するので、カプセル本体２に４℃以下の高気圧空気が供給されることが防止される。したがって、冷却タンク１１とカプセル本体２との間の供給管５部分で結露が発生するようなことはなく、カプセル本体２への高気圧空気供給に支障をきたすような事態を一段と効果的に防止できる。
なお、本実施形態では、カプセル本体１１内に高気圧空気を供給したが、高気圧酸素を供給してもよい。
【図面の簡単な説明】
【００２５】
【図１】本考案に係る本高気圧酸素カプセル装置の全体構成を示す図である。
【図２】制御装置の構成を示すブロック図である。
【図３】従来の高気圧空気カプセル装置を説明するための図である。
【符号の説明】
【００２６】
１  高気圧空気カプセル装置
２  カプセル本体
２a   ドア
７  排出装置
１０  冷却装置
１１  冷却タンク
１２  冷却コイル
１３  凝縮器
１４  コンプレッサ
５０  制御装置
【図１】
0003164178.tif 000003
【図２】
0003164178.tif 000004
【図３】
0003164178.tif 000005